【手続補正書】
【提出日】平成26年10月28日(2014.10.28)
【手続補正１】
【補正対象書類名】特許請求の範囲
【補正対象項目名】全文
【補正方法】変更
【補正の内容】
【特許請求の範囲】
【請求項１】
表面に複数種類の図柄を表示した複数の回転リールと、
前記複数の回転リールの回転を開始させるためのスタートスイッチと、
回転中の前記回転リールを個々に停止させるための複数のストップスイッチとを少なくとも備え、
前記スタートスイッチ及びストップスイッチの操作信号に基づき前記回転リールの作動を制御するリール制御手段と、を少なくとも備え、
所定条件に該当することを契機に、遊技の進行が停止した状態となるフリーズを実行可能に形成された遊技機において、
前記リール制御手段は、
前記フリーズの実行中において、前記回転リールを第一の態様で作動させ、
前記回転リールを前記第一の態様で作動させているときに、所定の操作手段のうちのいずれかの操作手段の操作信号を入力した場合には、前記回転リールの作動態様を前記第一の態様とは異なる第二の態様に切り変え、前記いずれかの操作手段の操作信号を一定時間入力しない場合には、前記一定時間の経過後に、前記回転リールの作動態様を前記第二の態様に切り変え、
前記フリーズが終了した場合には、前記ストップスイッチの操作信号の入力により前記回転リールが停止可能となるまでの間に、前記フリーズの終了時における前記複数の回転リールの図柄の配置態様がばらけるように前記回転リールを回転させる処理を実行可能に形成されていることを特徴とする遊技機。
【請求項２】
表面に複数種類の図柄を表示した複数の回転リールと、
前記複数の回転リールの回転を開始させるためのスタートスイッチと、
回転中の前記回転リールを個々に停止させるための複数のストップスイッチとを少なくとも備え、
前記スタートスイッチ及びストップスイッチの操作信号に基づき前記回転リールの作動を制御するリール制御手段と、を少なくとも備え、
所定条件に該当することを契機に、遊技の進行が停止した状態となるフリーズを実行可能に形成された遊技機において、
前記リール制御手段は、
前記フリーズの実行中において、前記回転リールを第一の態様で作動させ、
前記回転リールを前記第一の態様で作動させているときに、所定の操作手段のうちのいずれかの操作手段の操作信号を入力した場合には、前記回転リールの作動態様を前記第一の態様とは異なる第二の態様に切り変え、前記いずれかの操作手段の操作信号を一定時間入力しない場合には、前記一定時間の経過後に、前記回転リールの作動態様を前記第二の態様に切り変え、
前記フリーズが終了した場合には、前記ストップスイッチの操作信号の入力により前記回転リールが停止可能となるまでの間に、前記フリーズの終了時における前記複数の回転リールの図柄の配置態様がばらけるように前記回転リールを回転させる処理を実行可能に形成されていると共に、
前記第一の態様は、通常時の回転リールの作動態様と同様の通常回転態様であり、
前記第二の態様は、前記回転リールが一定角度の範囲で正転逆転を繰り返すことにより前記回転リールの図柄が振動して見えるように当該回転リールが作動する振動態様であり、
前記フリーズは、前記所定条件に該当した場合において前記スタートスイッチの操作信号の入力を契機に開始され、
前記リール制御手段は、
前記フリーズが開始された場合には、前記スタートスイッチの操作信号の入力に基づき、前記第１の態様である前記各回転リールを前記通常回転態様で作動させるとともに、
前記回転リールを前記通常回転態様で作動させているときに、前記ストップスイッチの操作信号を入力した場合には、操作信号を入力したストップスイッチに対応する回転リールについて、前記操作信号の入力のタイミングであらかじめ設定された特定位置に停止可能ないずれかの図柄を前記特定位置に位置させた状態で、前記第２の態様である当該回転リールの作動態様を前記振動態様に切り替え、
前記ストップスイッチの操作信号を一定時間入力しない場合には、前記通常回転態様で作動している回転リールについて、前記一定時間経過後の所定のタイミングで前記特定位置に停止可能ないずれかの図柄を前記特定位置に位置させた状態で当該回転リールの作動態様を前記振動態様に切り変えるように形成されていることを特徴とする遊技機。
【請求項３】
表面に複数種類の図柄を表示した複数の回転リールと、
前記複数の回転リールの回転を開始させるためのスタートスイッチと、
回転中の前記回転リールを個々に停止させるための複数のストップスイッチとを少なくとも備え、
前記スタートスイッチ及びストップスイッチの操作信号に基づき前記回転リールの作動を制御するリール制御手段と、を少なくとも備え、
所定条件に該当することを契機に、遊技の進行が停止した状態となるフリーズを実行可能に形成された遊技機において、
前記リール制御手段は、
前記フリーズの実行中において、前記回転リールを第一の態様で作動させ、
前記回転リールを前記第一の態様で作動させているときに、所定の操作手段のうちのいずれかの操作手段の操作信号を入力した場合には、前記回転リールの作動態様を前記第一の態様とは異なる第二の態様に切り変え、
前記フリーズが終了した場合には、前記ストップスイッチの操作信号の入力により前記回転リールが停止可能となるまでの間に、前記フリーズの終了時における前記複数の回転リールの図柄の配置態様がばらけるように前記回転リールを回転させる処理を実行可能に形成されていることを特徴とする遊技機。
【手続補正２】
【補正対象書類名】明細書
【補正対象項目名】０００７
【補正方法】変更
【補正の内容】
【０００７】
そして、前記リール制御手段(100)は、前記フリーズの実行中において、前記回転リール(40)を第一の態様で作動させ、前記回転リール(40)を前記第一の態様で作動させているときに、所定の操作手段のうちのいずれかの操作手段の操作信号を入力した場合には、前記回転リール(40)の作動態様を前記第一の態様とは異なる第二の態様に切り変え、前記いずれかの操作手段の操作信号を一定時間入力しない場合には、前記一定時間の経過後に、前記回転リール(40)の作動態様を前記第二の態様に切り変える。なお、前記回転リール(40)を前記第一の態様又は前記第二の態様で作動させたときに、前記複数の回転リール(40)の所定の図柄が所定の態様で並んだ状態になる場合がある。そして、前記フリーズが終了した場合には、前記ストップスイッチ(50)の操作信号の入力により前記回転リール(40)が停止可能となるまでの間に、前記フリーズの終了時における前記複数の回転リール(40)の図柄の配置態様（所定の図柄が所定の態様で並んだ状態を含むが、それ以外の配置態様も含む）がばらけるように前記回転リール(40)を回転させる処理を実行可能に形成されていることを特徴とする。
【手続補正３】
【補正対象書類名】明細書
【補正対象項目名】０００８
【補正方法】変更
【補正の内容】
【０００８】
（作用・効果）
第１の発明によれば、フリーズ中に、回転リール(40)の作動態様を変化させることができ、遊技者に高揚感を持たせることができ、興趣を高めることができる。一方、遊技者が操作手段を操作しない場合でも、一定時間の経過後には、回転リール(40)の作動態様を操作手段が操作された場合と同様に変化させることができる。さらに、フリーズの開始に伴う回転リール(40)の作動や遊技者の操作又は時間経過による回転リール(40)の作動態様の変化に伴い、前回の遊技の結果表示されていた図柄組合せが変動している場合や、特定の図柄組合せが表示されている場合であっても、それらの図柄組合せは、ストップスイッチ(50)の操作が有効化するまでの間にばらけるようになっている。例えば、第二の態様で作動中の回転リール(40)をいったん停止させ、複数の回転リール(40)がランダムな時間差で順次回転開始したり、異なる加速度で回転開始したりする。これにより、遊技者の操作に基づかない遊技機の制御による表示をもとに遊技が開始される不都合や、特定の図柄組合せが目押しの補助になるのを回避できる。
【手続補正４】
【補正対象書類名】明細書
【補正対象項目名】００１０
【補正方法】変更
【補正の内容】
【００１０】
（作用・効果）
第２の発明によれば、回胴演出の開始時においては、回転リール(40)の挙動だけみると通常の遊技と変わりないが、ストップスイッチ(50)を操作すると回転リール(40)が停止せずに振動することによりはじめて回胴演出であるということが判るので、遊技者を驚かせて興趣を高めることができる。また、ストップスイッチ(50)の操作により回転リール(40)を完全に停止させないことから、遊技者が本来のゲームと誤解することによるトラブルを避けることができる。
（第３の発明）
第３の発明は、表面に複数種類の図柄を表示した複数の回転リール(40)と、前記複数の回転リール(40)の回転を開始させるためのスタートスイッチ(30)と、回転中の前記回転リール(40)を個々に停止させるための複数のストップスイッチ(50)とを少なくとも備え、前記スタートスイッチ(30)及びストップスイッチ(50)の操作信号に基づき前記回転リール(40)の作動を制御するリール制御手段(100)と、を少なくとも備え、所定条件に該当することを契機に、遊技の進行が停止した状態となるフリーズを実行可能に形成された遊技機に係る。
そして、前記リール制御手段(100)は、前記フリーズの実行中において、前記回転リール(40)を第一の態様で作動させ、前記回転リール(40)を前記第一の態様で作動させているときに、所定の操作手段のうちのいずれかの操作手段の操作信号を入力した場合には、前記回転リール(40)の作動態様を前記第一の態様とは異なる第二の態様に切り変える。なお、前記回転リール(40)を前記第一の態様又は前記第二の態様で作動させたときに、前記複数の回転リール(40)の所定の図柄が所定の態様で並んだ状態になる場合がある。そして、前記フリーズが終了した場合には、前記ストップスイッチ(50)の操作信号の入力により前記回転リール(40)が停止可能となるまでの間に、前記フリーズの終了時における前記複数の回転リール(40)の図柄の配置態様（所定の図柄が所定の態様で並んだ状態を含むが、それ以外の配置態様も含む）がばらけるように前記回転リール(40)を回転させる処理を実行可能に形成されていることを特徴とする。